(57)【要約】  本発明は、車両のスタータモータ用、特にベルトドライブ式スタータモータ用コンバータを作動させる方法に関し、前記コンバータの温度を検知するステップと、検知した前記温度に依存して目標値としての目標温度で前記コンバータに供給される電流を調節するステップとを含んでいる。本発明は、さらに、本発明による方法を実施できる、車両のスタータモータ用コンバータに関わる。【選択図】  図４
2014531182.tif 000002
【特許請求の範囲】
【請求項１】
車両のスタータモータ（ＳＭ）用コンバータ（２０１）を作動させる方法において、
前記コンバータの温度を検知するステップ（Ｓ６０１）と、
検知した前記温度（ＡＶ）に依存して目標値としての目標温度（ＲＶ）で前記コンバータ（２０１）に供給される電流を調節するステップ（Ｓ６０３，Ｓ６０５）と、
を含んでいる方法。
【請求項２】
前記目標温度（ＲＶ）を車両条件に依存して設定する、請求項１に記載の方法。
【請求項３】
前記目標温度（ＲＶ）を越えたときに、前記供給される電流を減少させる、請求項１または２に記載の方法。
【請求項４】
前記目標温度（ＲＶ）を越えたときに、前記供給される電流を中断させる、上記請求項のいずれか一項に記載の方法。
【請求項５】
前記コンバータ（２０１）の半導体素子（１０３，．．．，１１７）の温度を検知する、上記請求項のいずれか一項に記載の方法。
【請求項６】
前記半導体素子が切換え可能な構成要素（１０３，．．．，１０９）または整流を行う構成要素（１１１，．．．，１１７）である、請求項５に記載の方法。
【請求項７】
前記コンバータ（２０１）の複数の半導体素子（１０３，．．．，１１７）の温度を検知する、上記請求項のいずれか一項に記載の方法。
【請求項８】
１つの半導体素子（１０３，．．．，１１７）に供給される電流を、それぞれの半導体素子（１０３，．．．，１１７）の検知した温度（ＡＶ）に依存して調節する、請求項７に記載の方法。
【請求項９】
前記供給される電流をパルス幅変調を介して調節する、上記請求項のいずれか一項に記載の方法。
【請求項１０】
車両のスタータモータ（ＳＭ）用コンバータ（２０１）において、
前記コンバータ（２０１）の温度（ＡＶ）を検知するための温度検知装置（２０３）と、
検知した前記温度（ＡＶ）に依存して目標値としての目標温度（ＲＶ）で前記コンバータ（２０１）に供給される電流を調節するための調節装置（２１１，２１５）と、
を備えたコンバータ。
【発明の詳細な説明】
【技術分野】
【０００１】
本発明は、スタータモータ用コンバータを作動させる方法およびこの方法を実施するためのコンバータに関するものである。
【背景技術】
【０００２】
電気機械を作動させるため、コンバータにより交流電圧を直流電圧に変換することができる。しかしながら、その際に熱が発生し、コンバータを負荷することがある。特許文献１は、複数のスイッチ素子を備える２つのコンバータを備えた、電気機械を作動させるための搭載電源を開示している。これにより、それぞれのコンバータの熱負荷が低減される。
【先行技術文献】
【特許文献】
【０００３】
【特許文献１】独国特許出願公開第１０２０１０００１２５０Ａ１号明細書
【発明の概要】
【発明が解決しようとする課題】
【０００４】
本発明の課題は、コンバータを作動させる方法およびコンバータにおいて、温度変動による熱負荷をさらに低減させることである。
【課題を解決するための手段】
【０００５】
本発明の観点によれば、上記課題は、車両のスタータモータ用コンバータを作動させる方法において、前記コンバータの温度を検知するステップと、検知した前記温度に依存して目標値としての目標温度で前記コンバータに供給される電流を調節するステップとを含んでいることによって解決される。目標値としての目標温度を使用することにより、作動中にコンバータを目標温度に維持でき、温度変動による負荷が最小に低減されるという利点が達成される。これによってコンバータの寿命を長くさせることができる。
【０００６】
有利な実施態様では、目標温度を車両条件に依存して設定する。これにより、車両の状態に応じて異なる目標温度を選定できるという利点が達成される。たとえば、車両の始動後すぐに目標温度を最大目標温度へ到達させることができる。これは、車両始動の際のコンバータ内の熱による機械的負荷をさらに減少させる。
【０００７】
更なる有利な実施態様では、目標温度を越えたときに、供給される電流を中断させる。これにより、目標温度を越えたときに即座に冷却が行えるという利点が達成される。
【０００８】
更なる有利な実施態様では、目標温度を越えたときに、供給される電流を減少させる。これにより、温度はゆっくりと再び目標温度へ戻り、コンバータの強い熱変動が回避されるという利点が達成される。
【０００９】
更なる有利な実施態様では、コンバータの半導体素子の温度を検知する。これにより、温度が熱源でダイレクトに検知され、半導体素子の領域でのピーク温度が回避されるという利点が達成される。
【００１０】
更なる有利な実施態様では、半導体素子は切換え可能な構成要素または整流を行う構成要素である。これにより、部品の種類に応じて異なる目標温度を目標値として使用できるという利点が達成される。
【００１１】
更なる有利な実施態様では、コンバータの複数の半導体素子の温度を検知する。これにより、複数の熱源を同時に監視でき、従って部品間に大きな温度差が生じたときにインバータ内部の温度を均一化するための調節が実施可能であるという利点が達成される。加えて、多相スタータモータの場合には、関与している出力段の統一的温度負荷を目的とした調節の際に相電流の非対称性を考慮することができる。
【００１２】
更なる有利な実施態様では、１つの半導体素子に供給される電流を、それぞれの半導体素子の検知した温度に依存して調節する。これにより、各半導体素子の温度を互いに独立に調節できるという利点が達成される。
【００１３】
有利な実施態様では、供給される電流をパルス幅変調を介して調節する。これにより、電流の調節を特に適した回路で実現できるという利点が達成される。
【００１４】
本発明の他の観点によれば、前記課題は、車両のスタータモータ用コンバータにおいて、コンバータの温度を検知するための温度検知装置と、検知した温度に依存して目標値としての目標温度でコンバータに供給される電流を調節するための調節装置とを備えたコンバータによって解決される。これにより、前述の方法による利点と同じ利点が達成される。
【００１５】
更なる実施形態を、添付の図面を用いて説明する。
【図面の簡単な説明】
【００１６】
【図１】技術水準による、４つのスイッチ素子と２つの相とを備えたコンバータの回路図である。
【図２】技術水準による、６つのスイッチ素子と３つの相とを備えたコンバータの回路図である。
【図３】技術水準による、１０個のスイッチ素子と５つの相とを備えたコンバータの回路図である。
【図４】コンバータの第１実施形態の図である。
【図５】コンバータ内の温度調節に使用するための調節回路の図である。
【図６】コンバータの第２実施形態の図である。
【図７】コンバータの第３実施形態の図である。
【図８】コンバータの温度を調節するためのフローチャートである。
【発明を実施するための形態】
【００１７】
次に、図面を用いて本発明を図示した発明の構成および作用に関して説明する。
【００１８】
まず、個々の部品を明らかにするため、図１は、スタータモータＳＭのために直流電流を２相交流電流に変換するためのコンバータとして用いられる、技術水準から公知のインバータ１０１を示している。しかしながら、本発明による方法は、他の実施形態では、他のコンバータを備えた３相、５相または６相のシステムに対しても使用できる。直流電流は入力接続部ＩＮ１とＩＮ２を介してインバータ１０１に供給される。インバータは、供給された直流電流を出力部ＯＵＴ１とＯＵＴ２の間で交流電流に変換して、この交流電流により内燃エンジンをスタートさせるために電動機ＳＭを駆動できるようにする。
【００１９】
インバータ１０１は、供給された直流電流を交流電流に変換するために用いる複数のスイッチ素子Ｓ１，Ｓ２，Ｓ３，Ｓ４を含んでいる。これらのスイッチ素子Ｓ１，Ｓ２，Ｓ３，Ｓ４のそれぞれは、切換え可能な半導体素子１０３，１０５，１０７，１０９と、整流半導体素子１１１，１１３，１１５，１１７とを含んでいる。切換え可能な半導体素子１０３，１０５，１０７，１０９は電流を切換え制御するための電子素子である。この種の半導体素子１１１，１１３，１１５，１１７は、たとえば電界効果トランジスタ、接合型電界効果トランジスタ、酸化金属半導体電界効果トランジスタ（ＭＯＳＦＥＴ）または他のタイプのトランジスタのような、電流切換えの目的に適したトランジスタであってよい。整流半導体素子１１１，１１３，１１５，１１７は、通常は物理学的に生じるＭＯＳＦＥＴのインバースダイオードによって形成される。しかし、択一的な実施形態では、整流半導体素子１１１，１１３，１１５，１１７は、たとえばｐ＋ｓｎ＋ダイオード、シリコンＰＮダイオードまたはシリコンシトッキーダイオードのような大電力整流器であってよい。しかし、これとは択一的に、他の適当な整流器も使用できる。
【００２０】
特に、モータの相数は２つに限定されず、特にスタータダイナモを使用する場合には、３相、５相、６相、またはｎ相のモータに拡張してよい。特に、多相システムの場合には、均一なトルクと小さな速度変動率とによる利点が得られる。
【００２１】
図２は、本発明を適用することのできる、６個のスイッチ素子Ｓ１ないしＳ６と３つの相とを備えたコンバータを示している。
【００２２】
図３は、本発明を適用することのできる、１０個のスイッチ素子Ｓ１ないしＳ１０と５つの相とを備えたコンバータを示している。
【００２３】
スイッチ素子Ｓ１，Ｓ２，Ｓ３，Ｓ４のそれぞれは制御導線を介して制御ユニット１１９と接続されている。制御ユニット１１９はスイッチ素子Ｓ１，Ｓ２，Ｓ３，Ｓ４を次のように制御し、すなわち接続部ＩＮ１とＩＮ２に印加される直流電圧を、スタータモータＳＭに適した、適当な周波数と振幅とを備えた交流電圧に変換できるように制御する。その際、これらスイッチ素子の種々の制御を適用でき、たとえば正弦波整流式パルス幅変調制御またはブロック整流式パルス幅変調制御を適用できる。制御ユニットはたとえばプログラミング可能なロジックコントローラ（ＰＬＣ）であってよい。
【００２４】
しかしながら、本発明は上述した特別なインバータ１０１の使用に限定されるものではなく、スタータモータに適した出力電圧を発生させるために用いられる、たとえばパルスインバータのようなすべての種類のコンバータとの組み合わせで実現することができる。この場合、異なる数量のスイッチ素子、他の半導体素子、他の制御ユニット、必ずしも半導体素子でない他の電子素子を使用することができる。それ故、本発明の意味でのコンバータとは、特定のクオリティの入力電流から、スタータモータに適した他のクオリティの出力電流を発生させるすべての装置と理解すべきである。
【００２５】
図４は、本発明によるコンバータ２０１の第１実施形態を示している。コンバータ２０１は、２つの入力部ＩＮ１とＩＮ２と、２つの出力部ＯＵＴ１とＯＵＴ２と、４つのスイッチ素子Ｓ１，Ｓ２，Ｓ３，Ｓ４とを備えたコンバータ回路２１３を有し、該コンバータ回路はスタータモータＳＭと接続されている。スイッチ素子Ｓ１，Ｓ２，Ｓ３，Ｓ４はコンバータ２０１の作動中に熱を発生させ、この熱は作動が進行するうちにすべてのコンバータ２０１に拡散する。
【００２６】
発生した熱は、コンバータ２０１の適当な個所に設置した温度検知装置２０３によって検知される。この個所はたとえばコンバータ２０１のハウジングまたは回路基板にあってよい。特に、温度は切換え半導体素子、整流要素、或いは、たとえば抵抗器のような各能動性または受動性要素で検知してよい。
【００２７】
温度検知装置２０３は熱感知器または熱センサとして用いられ、たとえばセラミックスまたはシリコンから成る電気熱抵抗器（サーミスタ）、たとえばプラチナから成る抵抗温度計のような冷導体、シリコンセンサ、セラミックス冷導体、または半導体温度センサによって形成されていてよい。一般的には、温度検知装置２０３に対しては、コンバータ２０１の温度を特定することのできるすべての装置、たとえば測定した電流および／または測定した電圧を介して温度を特定するのに適した間接的な温度検知装置が問題になる。
【００２８】
検出した温度値は、信号導線２０５を介して調節装置２１５へ誘導される。調節装置２１５は供給された温度値をベースにして制御を行うことのできる、たとえば揮発性または非揮発性メモリ、プロセッサ、或いは、プログラミング可能な論理回路であってよい。調節装置２１５は調節回路の一部であり、温度検知装置２０３によって検知された温度を、調節回路の参照値として用いられる温度目標値と比較させる。
【００２９】
温度目標値は、調節装置２１５の非揮発性メモリ内に固定設定されていてよく、或いは、外部から図示していない入力装置を通じて設定してもよい。特に、温度目標値は時間的に変化可能であってよく、或いは、特定の車両条件に依存していてよい。この種の車両条件とはたとえば車両の作動時間またはスタータモータの作動時間であってよい。
【００３０】
特に、車両の作動が進行している間に温度目標値を当初低い値からより高い値へ上昇させるのが有利である。たとえば、第１の温度目標値に達した後に第２のより高い温度目標値を選択してよく、その結果コンバータの温度をゆっくりと、選定した温度ステップで段階的に上昇させることができる。温度目標値をゆっくり上昇させることにより、強い急激な温度変化を回避できる。これとは択一的に、温度目標値を他の車両条件に依存させることもできる。
【００３１】
検知した温度値が温度目標値からずれている場合、たとえば調整量を算出するための他のベースとして用いられる差値が形成される。調整量としては、コンバータ２０１に供給される電流が用いられる。コンバータ２０１に供給される電流を設定するため、コンバータは、制御導線２０９を介して調節装置２１５と接続されている電流制御装置２１１を有している。電流制御装置２１１は入力部ＩＮ１’とＩＮ２’を有し、コンバータ回路２１３の上流側に接続されている。制御導線２０９を介して電流制御装置２１１を次のように制御することができ、すなわちコンバータ２０１に供給される電流を特定の値に設定できるように制御することができる。この種の電流制御装置２１１は、たとえば制御可能な直列抵抗器のような制御可能な電流制限回路を含んでいてよい。
【００３２】
図５は、本発明の実現のために使用することのできる調節回路３０１を示している。
【００３３】
調節回路３０１は、１つの技術的プロセスでコンバータ２１３の温度を制御するための、それ自体閉じた作用シーケンスである。この場合重要なことは、検知した現時点での温度値ＡＶを負帰還ＦＢによって調節装置３０３へフィードバックし、他方目標値または参照値ＲＶとの連続的なまたは時間的に不連続な目標値実際値比較を行うことである。
【００３４】
コンバータ２０１の現時点での温度はポイント３０９で検知され、前記帰還ＦＢを介してポイント３０７に戻され、このポイントで、検知した温度値ＡＶと温度目標値ＲＶとを比較することによって制御偏差が検出される。検出した制御偏差は調節器３０３に供給され、該調節器は制御偏差から調整量または制御量ＣＶを求める。調整量ＣＶは、たとえば電流制限回路２１１を含んでいる制御区間３０５に供給される。調節回路３０１を使用することにより、コンバータ２０１の温度を特定の温度値に保持できるという利点が生じる。この温度値は、コンバータ２０１の電子部品の熱負荷が技術水準で公知のものよりも低い結果になるように選定することができる。
【００３５】
制御偏差の特定は、検知した温度値ＡＶと目標温度値ＲＶを簡単に比較することをベースにして行うことができるが、複雑な演算操作をベースにしてもよい。
【００３６】
特に、調節は、特定の閾値を越えるような制御偏差があった場合に、コンバータ２０１への給電が中断されるように制御量ＣＶを選定するように、行うことができる。これにより、以後のコンバータ２０１の温度が低下する。コンバータ２０１の温度が再び特定の値以下に落ちれば、検出した制御偏差は再び閾値以下になり、給電を再開することができる。
【００３７】
これとは択一的な調節では、特定の閾値を越えるような制御偏差があった場合、コンバータ２０１への給電が減少するように制御量ＣＶが選定される。これにより、同様に以後のコンバータ２０１の温度が低下する。コンバータ２０１の温度が再び特定の値以下に落ちれば、検出した制御偏差は再び閾値以下になり、コンバータ２０１への給電を再び増大させることができる。
【００３８】
しかしながら、本発明は上述の調節に限定されるものではなく、コンバータ３０１の温度が予め選定した温度目標値ＲＶに調整されて実質的にこの値に保持され、その結果目標温度が目標値として使用されるのに適し且つそれを可能にするものであれば、すべてのフィードバック調節および調節回路を使用することができる。
【００３９】
図６は、本発明によるコンバータ４０１の第２実施形態を示している。この実施形態では、コンバータ４０１は、同様に両入力部ＩＮ１，ＩＮ２と、両出力部ＯＵＴ１，ＯＵＴ２と、スタータモータＳＭと接続されている４つのスイッチ素子Ｓ１，Ｓ２，Ｓ３，Ｓ４とを備えた変換回路４１３を含んでいる。
【００４０】
しかし、この実施形態では、各スイッチ素子Ｓ１，Ｓ２，Ｓ３，Ｓ４にはそれぞれ固有の温度検知装置４０３，４０５，４０７，４０９が配置され、この固有の温度検知装置はすでに述べた装置によって形成されていてよい。
【００４１】
各温度検知装置４０３，４０５，４０７，４０９は互いに独立にそれぞれのスイッチ素子Ｓ１，Ｓ２，Ｓ３，Ｓ４の温度を検知することができる。特に、それぞれ切換え半導体素子、整流要素或いはたとえば抵抗器のような他の各能動要素または受動要素での温度を検知することができる。可能な温度検知装置の数量はそれぞれ１つのスイッチ素子Ｓ１，Ｓ２，Ｓ３，Ｓ４に限定されるものではなく、全く別の温度検知装置を設けてよく、たとえばそれぞれ２つずつのスイッチ素子Ｓ１，Ｓ２，Ｓ３，Ｓ４に設け、そのうち１つは切換え半導体素子の温度を検知し、他は整流半導体素子の温度を検知するようにしてよい。より多くの数の測定ポイントを設けることにより、作動中に特に均一な温度分布が確保されて、個々の部品の熱負荷が特に正確に監視されるように、コンバータ４０１への電流を調節することができるという利点が得られる。しかし、スイッチ素子の数量の一部にのみ対応する温度検知装置を設けることも可能である。
【００４２】
図示を簡潔にするため、目標値としての目標温度で温度を調節するための調節回路は、第１のスイッチ素子Ｓ１に対してのみ図示したが、この実施形態では、残りのスイッチ素子Ｓ２，Ｓ３，Ｓ４も対応する調節回路を備えている。それ故、図６に図示した実施形態では、全部で４つの独立した調節回路を介して温度の調節が行われ、これら調節回路のそれぞれの固有目標温度を目標値として使用することができる。
【００４３】
温度検知装置４０３は、信号導線４１１を介して、第１のスイッチ素子Ｓ１の現時点での温度値を調節装置４１５に送る。このケースでは、この調節装置は、スイッチ素子Ｓ１，Ｓ２，Ｓ３，Ｓ４の温度を目標値としての目標温度で調節するために用いられるばかりでなく、スイッチ素子Ｓ１，Ｓ２，Ｓ３，Ｓ４を制御するためにも用いられる。このため、たとえばスイッチ素子Ｓ１は制御導線４１２を介して制御調節装置４１５と接続されている。測定した温度が目標値からずれていることを制御調節装置４１５が検知すると、スイッチ素子Ｓ１は、該スイッチ素子Ｓ１を介してスタータモータＳＭに供給される電流が減少するように、制御される。この制御により、同時に、コンバータ４０１に供給される電流が間接的に調節される。この種の制御は、たとえばパルス幅制御の際にオフインターバルを延長することによって得られる。しかし、この目的のため、総じてコンバータ４１３に供給される電流を調節するために用いられる、スイッチ素子Ｓ１，Ｓ２，Ｓ３，Ｓ４用の他の制御方法も考えられる。
【００４４】
特に、スイッチ素子Ｓ１，Ｓ２，Ｓ３，Ｓ４のそれぞれに対するこの種の温度依存制御は、それぞれ互いに独立に目標値としての目標温度で実施することができ、その結果特に均一な温度分布を得ることができる。さらに、ここでは、それぞれのスイッチ素子に対し、または、使用されるそれぞれの温度感知器に対し、個別の目標温度を目標値として使用することも考えられる。
【００４５】
図７は、本発明によるコンバータ５０１の第３実施形態を示している。この実施形態では、コンバータ５０１は、同様に両入力部ＩＮ１，ＩＮ２と、両出力部ＯＵＴ１，ＯＵＴ２と、ステータモータＳＭと接続されている４つのスイッチ素子Ｓ１，Ｓ２，Ｓ３，Ｓ４とを備えた変換回路５１３を含んでいる。
【００４６】
この実施形態では、各スイッチ素子Ｓ１，Ｓ２，Ｓ３，Ｓ４にそれぞれ１つの固有の温度検知装置５０３，５０５，５０７，５０９が配置され、これらの温度検知装置は前述した装置によって形成されていてよい。この場合、各温度検知装置５０３，５０５，５０７，５０９は互いに独立にそれぞれのスイッチ素子Ｓ１，Ｓ２，Ｓ３，Ｓ４の温度を検知することができる。さらに、各スイッチ素子Ｓ１，Ｓ２，Ｓ３，Ｓ４はそれぞれ固有の制御可能な電流制御装置５１９，５２１，５２３，５２７を含んでいる。これらの電流制御装置５１９，５２１，５２３，５２７のそれぞれは、スイッチ素子Ｓ１，Ｓ２，Ｓ３，Ｓ４に供給される電流をそれぞれ独立に制御することができる。
【００４７】
図示を簡潔にするため、目標値としての目標温度で温度を調節するための調節回路は、第１のスイッチ素子Ｓ１に対してのみ図示したが、この実施形態では、残りのスイッチ素子Ｓ２，Ｓ３，Ｓ４も対応する調節回路を備えている。それ故、図７に図示した実施形態では、全部で４つの独立した調節回路を介してスイッチ素子Ｓ１，Ｓ２，Ｓ３，Ｓ４の温度の調節が行われる。スイッチ素子Ｓ１，Ｓ２，Ｓ３，Ｓ４の状態はそれぞれ、同様に図を簡潔にするためにスイッチ素子Ｓ１だけに図示した制御導線５１７を介して制御される。
【００４８】
スイッチ素子Ｓ１の温度検知装置５０３は、信号導線５１１を介して調節装置５１５と接続されている。さらに、調節装置５１５は制御導線５１２を介して電流制御装置５１９と接続されている。測定した温度が目標値からずれていることを制御調節装置５１５が検知すると、スイッチ素子Ｓ１の温度が目標値へ減少するように、調節装置５１５は電流制御装置５１９を制御する。これにより、総じて、コンバータ５０１に供給される電流も調節される。調節装置５１５は電流制御装置５１９を制御するために用いられるばかりでなく、制御導線５１７を介してスイッチ素子Ｓ１を制御するためにも用いられる。
【００４９】
しかしながら、基本的には、スイッチ素子Ｓ１，Ｓ２，Ｓ３，Ｓ４の数量の一部のみに、制御可能な電流制御装置を備えさせることも可能である。たとえば、２つのスイッチ素子Ｓ１とＳ３のみ、または、２つのスイッチ素子Ｓ１とＳ２のみに電流制御装置が設けられていてよい。
【００５０】
さらに、このケースでは、スイッチ素子Ｓ１，Ｓ２，Ｓ３，Ｓ４の電流調節スイッチングを、電流制御装置５１９，５２１，５２３，５２５の補助的な制御と連動して行うことで、供給電流を調節し、所望の目標温度を維持することも可能である。これによって、目標温度が特に有効になり、効率的に調節されるという利点が達成される。
【００５１】
図８は、コンバータの温度を調節するためのフローチャートである。ステップＳ６０１でまずコンバータの現在の温度Ｔを適当な個所で検知し、たとえばハウジング、回路基板または電子部品において検知する。温度Ｔの検知は、該温度をたとえば電流または電圧の測定を介して間接的にも特定することのできる適当な温度検知装置を用いて行う。
【００５２】
ステップＳ６０３では、検知した温度値Ｔを設定した目標温度Ｔｓと比較する。検知した温度値Ｔと目標温度Ｔｓとが一致していれば、この方法はブランチＳ６０３−Ｙで分岐して新たにステップＳ６０１へ戻り、温度Ｔの検知をすぐにまたは時間をおいて反復する。
【００５３】
ステップＳ６０３で、検知した温度値Ｔと目標温度値Ｔｓとの間にずれがあることが確認されれば、ブランチＳ６０３−ＮでステップＳ６０５へ分岐する。
【００５４】
次に、ステップＳ６０５で、コンバータに供給される電流を、検知した温度Ｔが以後目標温度Ｔｓに近づくように調節する。これは、たとえば供給される電流を一時的に中断するか減少させることによって達成できる。このため、コンバータ内部の適当な電流制御装置へ送られて供給電流を制御する制御量を算出する。
【００５５】
ステップＳ６０５の後、図示した方法を最初から開始し、その結果目標温度Ｔｓを目標値として使用することによってコンバータに供給される電流を調節するようにした閉じた調節回路が得られる。
【００５６】
これにより、時間的にまたは空間的に均一なコンバータの温度を得ることができ、コンバータの熱負荷が減少するという利点が得られる。
【００５７】
本発明の種々の実施形態との関連で説明したすべての構成および方法ステップは、有利な作用を達成させるために任意に組み合わせることができる。
【符号の説明】
【００５８】
１０３，１０５，１０７，１０９  切換え可能な半導体素子
１１１，１１３，１１５，１１７  整流半導体素子
２０１  コンバータ
２０３  温度検知装置
２１１  電流制御装置
２１５  調節装置
ＡＶ  コンバータの温度
ＲＶ  目標温度
ＳＭ  スタータモータ
Ｓ６０１  コンバータの温度を検知するステップ
Ｓ６０３，Ｓ６０５  コンバータに供給される電流を調節するステップ
【図１】
2014531182.tif 000003
【図２】
2014531182.tif 000004
【図３】
2014531182.tif 000005
【図４】
2014531182.tif 000006
【図５】
2014531182.tif 000007
【図６】
2014531182.tif 000008
【図７】
2014531182.tif 000009
【図８】
2014531182.tif 000010
【国際調査報告】
2014531182.tif 000011
2014531182.tif 000012
2014531182.tif 000013
2014531182.tif 000014